(57)【要約】  【課題】  専門知識なしに、イメージ通りの調香を為しうる技術を提供する。  【解決手段】  （１）香料を混合し、香料組成物を作成するためのシートであって、香料組成物を構成すべき香料を３群に分け、その内の２群を縦軸と横軸に配したマトリックス構造を有する調香用シートを作成する。前記三種の香料群は、「ボディー」、「キャラクター」及び「トッピング」の三種である。前記「ボディー」は、「ブーケ」、「フロリエンタル」、「オリエンタル」及び「シプル」の４種である。前記「キャラクター」は、「シトラス」、「フルティー」、「グリーン」、「フローラル」、「モダンフローラル」、「スパイシー」、「ウッディー」及び「アニマル」の８種である。それぞれ男性用、女性用８種のトッピングを配する。  【選択図】  なし 【特許請求の範囲】
【請求項１】
香料を混合し、香料組成物を作成するためのシートであって、香料組成物を構成すべき香料を３群に分け、その内の２群を縦軸と横軸に配したマトリックス構造を有することを特徴とする、調香用シート。
【請求項２】
前記三種の香料群が、「ボディー」、「キャラクター」及び「トッピング」の三種であることを特徴とする、請求項１に記載の調香用のシート。
【請求項３】
前記「ボディー」が、「ブーケ」、「フロリエンタル」、「オリエンタル」及び「シプル」の４種に分類されていることを特徴とする、請求項１又は２に記載の調香用のシート。
【請求項４】
前記「キャラクター」が、「シトラス」、「フルティー」、「グリーン」、「フローラル」、「モダンフローラル」、「スパイシー」、「ウッディー」及び「アニマル」の８種に分類されることを特徴とする、請求項１〜３何れか１項に記載の調香用のシート。
【請求項５】
前記「トッピング」が、次に示す、２群の何れかであることを特徴とする、請求項１〜４何れか１項に記載の調香用シート。
（女性用のトッピング）「洋なし」、「白桃」、「苺」、「葡萄」、「パイナップル」、「林檎」、「杏子」及び「マリン」の８種
（男性用のトッピング）「都会的」、「スポーティー」、「古典的」、「ナイーブ」、「ロマン」、「情熱的」、「カジュアル」及び「ウォータリー」の８種
【請求項６】
「ボディー」を縦軸に、「キャラクター」を横軸に配したマトリックスを有することを特徴とする、請求項１〜５何れか１項に記載の調香用シート。
【請求項７】
更に、トッピングの構成要素群の記載を有することを特徴とする、請求項６に記載の調香用シート。
【発明の詳細な説明】
【技術分野】
【０００１】
本発明は、バランスの取れた香料組成物を作るための調香の為の小道具に関し、更に詳細には、香料組成物の原料となる香料を、その性格から３種に分類し、マトリックスを用いて表示したことを特徴とする、香料組成物の調香用のシートに関する。
【背景技術】
【０００２】
香水、オーデコロン、フレーバー等の香料組成物を構成する香料としては、単純なものでも多数のものが使用されており、この為、香料を調合して、自分の望む香料組成物に仕上げることは、非常に困難を伴う作業であり、深い経験と幅広い知識が必要となる。この為香料を調合する専門の職業である、「調香師」が存在している。その反面、自分自身の香りを楽しみたい欲求は人間が本質的に持っているものであり、古くは平安時代の「香」から、近年は香水教室の流行と、長い間にわたってこの様な欲求が維持されてきている。ここに、自分の思いのままに調香を行いたいというニーズが存している。
【０００３】
この様な背景の元に、万人が経験無くても、調香が出来るように教示する技術が種々提案されている。例えば、香りをベクトルとして表現してイメージ化する方法（例えば、特許文献１、特許文献２を参照）、香料の量とその順位を指標にバランスを評価する方法（例えば、特許文献３を参照）、香料の存在を感じる限界濃度を指標とする方法（例えば、特許文献４を参照）、香料の感覚強度を指標とする方法（例えば、特許文献５を参照）、香料をイメージ座標に置き換える方法（例えば、特許文献６を参照）等が存する。これらの方法により、調香はより科学的に指針をもって行えるようになったが、それでも、尚、専門知識が必要であり、且つ、複雑な計算式を用いなければならず、一般の人が誰でも容易に行うというわけには行かないのが現状である。即ち、専門知識なしに、イメージ通りの調香を為しうる技術の開発が望まれていた。
【０００４】
【特許文献１】特開２００３−２７９４５９号公報
【特許文献２】特開２００３−２７５２８９号公報
【特許文献３】特開平９−４８７１７号公報
【特許文献４】特開平９−４０９９３号公報
【特許文献５】特開平７−１６５５２号公報
【特許文献６】特開平８−１２７７９４号公報
【発明の開示】
【発明が解決しようとする課題】
【０００５】
本発明は、この様な状況下為されたものであり、専門知識なしに、イメージ通りの調香を為しうる技術を提供すること課題とする。
【課題を解決するための手段】
【０００６】
本発明者らは、この様な状況に鑑みて、専門知識なしに、イメージ通りの調香を為しうる技術を求めて、鋭意研究努力を重ねた結果、香料組成物の調香方法であって、香料組成物を構成すべき香料を、三種に分割し、該三種の香料群より、それぞれ少なくとも１種ずつの香料を選択し、これを混合することにより、その様な調香が可能であることを見出した。この様な調香作業を行うにあたり、香料を混合し、香料組成物を作成するためのシートであって、香料組成物を構成すべき香料を３群に分け、その内の２群を縦軸と横軸に配したマトリックス構造を有するシートを用いることにより、この様な作業がより容易に為しうることを見出し、発明を完成させるに至った。即ち、本発明は以下に示す技術に関するものである。
（１）香料を混合し、香料組成物を作成するためのシートであって、香料組成物を構成すべき香料を３群に分け、その内の２群を縦軸と横軸に配したマトリックス構造を有することを特徴とする、調香用シート。
（２）前記三種の香料群が、「ボディー」、「キャラクター」及び「トッピング」の三種であることを特徴とする、（１）に記載の調香用のシート。
（３）前記「ボディー」が、「ブーケ」、「フロリエンタル」、「オリエンタル」及び「シプル」の４種に分類されていることを特徴とする、（１）又は（２）に記載の調香用のシート。
（４）前記「キャラクター」が、「シトラス」、「フルティー」、「グリーン」、「フローラル」、「モダンフローラル」、「スパイシー」、「ウッディー」及び「アニマル」の８種に分類されることを特徴とする、（１）〜（３）何れか１項に記載の調香用のシート。
（５）前記「トッピング」が、次に示す、２群の何れかであることを特徴とする、（１）〜（４）何れか１項に記載の調香用シート。
（女性用のトッピング）「洋なし」、「白桃」、「苺」、「葡萄」、「パイナップル」、「林檎」、「杏子」及び「マリン」の８種
（男性用のトッピング）「都会的」、「スポーティー」、「古典的」、「ナイーブ」、「ロマン」、「情熱的」、「カジュアル」及び「ウォータリー」の８種
（６）「ボディー」を縦軸に、「キャラクター」を横軸に配したマトリックスを有することを特徴とする、（１）〜（５）何れか１項に記載の調香用シート。
（７）更に、トッピングの構成要素群の記載を有することを特徴とする、（６）に記載の調香用シート。
【発明の効果】
【０００７】
本発明によれば、専門知識なしに、イメージ通りの調香を為しうる技術を提供することができる。
【発明を実施するための最良の形態】
【０００８】
本発明者らの考案した、誰でも容易に調香できる、調香方法は、原料となる香料をボディー、キャラクター及びトッピングの三種に分類し、これらより少なくとも１種類ずつ選び出し、この三種の要素を全て包含するように調香するものである。ここで、本発明で言う香料とは、バラ香油、ラベンダー香油、ジャスミン香油、ムスク、抹香、乳香等の天然の動植物を基源とする香気成分、フェネチルアルコール、リナロール、リモネン、ボルネオール等の合成によって作られる香気成分、天然の香気成分に化学修飾して得られる半合成の香気成分及びそれらの（調合）混合物の総称を意味する。通常香料成分は調香された状態で香料会社より販売されており、本発明の芳香組成物ではこの様な調香香料を購入して使用することも出来る。かかる調合用の香料は、その香りの性質より、前記の三種の分類に分類分けされる。ここで、ボディーとは、香り全体の主要なイメージを形成するもので、これは更に、花の香りを主として想起させる「ブーケ」、甘いエキゾチックなイメージの「オリエンタル」、ブーケとオリエンタルの中間に位置する「フロリエンタル」、森林調の香りであり、苔と木を想起させる「シプル」の４種に大別できる。又、キャラクターは、ボディーの香りに特徴を付し、性格付けするために用いられる香料群であり、キャラクターはその香りの種類より、オレンジ、レモン、グレープフルーツの香りに代表される柑橘系の香りである、「シトラス」、ピーチ、ストロベリー、ペア、パイナップル、林檎などの甘いフルーツの香りに代表される「フルーティ」、ガルバナムやお茶の香りのような葉の青臭い香りである「グリーン」、百合、バラ、ジャスミン或いは桜等の花の香りである「フローラル」、フローラルの香りに加えて、人工的な香調を有する「モダンフローラル」、胡椒、ナツメグ、クローブ、シナモン等のスパイスを想起させる「スパイシー」、シダーウッド、ビャクダン、オーク等木材を想起させる「ウッディー」、麝香、アンバーグリース、シベット等の獣臭的な要素を有する「アニマル」の８種に大別される。前記「ボディー」と「キャラクター」によって香料組成物の大まかな性格付けをすることが出来るが、大凡この様な組成では主として女性に好適な香りであり、これにバランスを崩さず、変化、即ち、バリエーションを持たせる意味で、「トッピング」乃至は「男性用の性格付けのためのトッピング」を加える。「トッピング」に分類される香料としては「洋なし」、「白桃」、「苺」、「葡萄」、「パイナップル」、「林檎」、「杏子」及び「マリン」が割り付けられている。「男性用の性格付けをするトッピング」に分類される香料としては「都会的」、「スポーティー」、「古典的」、「ナイーブ」、「ロマン」、「情熱的」、「カジュアル」及び「ウォータリー」が割り付けられている。これらの香料分類に属する典型的な市販の調合香料（ベマンフィス株式会社製）は図１に示す。又、これらの特徴的な香料成分も同様に図１に示す。
【０００９】
本発明者らの考案した、調香方法では、「ボディー」に属する香料群から選択された１種の香料を４質量部、「キャラクター」に属する香料群から選択された１種の香料を１質量部及び「トッピング」乃至は「男性用の性格付けのためのトッピング」から選択された２種の香料をそれぞれ１質量部、合計７質量部混合することを特徴とする。この様な割合での混合では、香調のバランスを崩れることなく、調香することが可能である。この様な調香において、量比を間違えずに、正確に調香するためには、図２、３に示す本発明のシートを用いて、調香に用いた香料を記録しておくことにより、再現性を確保し、前記調香作業をより正確に、より的確に、より短時間で行うことが出来る。これは、本発明のシートにより、各構成香料の添加効果を具体的に認識できるからである。この様な、本発明の調香方法によって得られた香料組成物は、バランスが良く、自分の欲している香りを試行錯誤して調整する上でも、ボディーのイメージを認識することにより、極めて効率的に調香が行え、しかも、全く使えない香料組成物には至らないので、極めて好ましい。更に、シートさえあれば、複雑な機器や操作もいらないので、一般人でも容易に調香が為しうる。かくして得られた香料組成物は、男性用の香料組成物として極めて有用である。本発明の調香方法によって得られる香料組成物は、希釈溶媒で希釈したり、シリカ、プラスチック或いは繊維等の吸収体に吸収せしめたり、任意成分とともに製剤化することにより、オーデコロン、香水等の身体用のフレグランス、カーフレグランスやルームフレグランスなどの空間用のフレグランスに加工することが出来る。
【００１０】
本発明の調香用のシートは、前記「ボディー」、「キャラクター」及び「トッピング」の内の２構成要素を用いてマトリックスを構成していることを特徴とする。マトリックスとは縦軸と横軸にそれぞれの構成成分を並べ、方画を形成するものである。各交点が混合形態を示すものである。調合を行う際に、選択した混合形態を示す交点にチェックを入れることにより、縦軸成分と横軸成分の組合せを表示することが出来る。この様な２軸を構成する要素には、香料組成物の性格の決定に寄与の大きいものを選択することが好適であり、その意味で、ボディーとキャラクターを選択することが好ましい。特に好ましい形態は、図２、３に示す如く、縦軸にボディーを、横軸にキャラクターを配したものである。これに加えて、もう一つの構成要素である、「トッピング」の表示を同一のシート中に行っておくことが好ましく、図２（女性用）、図３（男性用）の如く、マトリックスの下部にスケールとして配することが特に好ましい。
【００１１】
この様に設計された本発明の調香用シートを使用することにより、香料組成物の性格を具体的に頭に描くことが出来るため、希望する香りの方向を速やかに、且つ、的確に把握することが出来る。この為、満足する香りを有する香料組成物を調香して得るのに、極めて短時間しか要しない。本発明の調香用のシートを用いて、香料組成物を調香して作成するには、「ボディー」に属する香料群から選択された１種の香料を４質量部、「キャラクター」に属する香料群から選択された１種の香料を１質量部及び「トッピング」乃至は「男性用の性格付けのためのトッピング」から選択された２種の香料をそれぞれ１質量部、合計７質量部混合する。この様な割合での混合では、香調のバランスを崩れることなく、調香することが可能だからである。
【００１２】
かくして得られた、香料組成物は、製剤化のための任意成分とともに常法に従って処理することにより、香水などのフレグランス化粧料や、ルームフレグランスやカーフレグランスなどの芳香組成物に加工することが出来る。この様な任意成分としては、例えば、マカデミアナッツ油、アボガド油、トウモロコシ油、オリーブ油、ナタネ油、ゴマ油、ヒマシ油、サフラワー油、綿実油、ホホバ油、ヤシ油、パーム油、液状ラノリン、硬化ヤシ油、硬化油、モクロウ、硬化ヒマシ油、ミツロウ、キャンデリラロウ、カルナウバロウ、イボタロウ、ラノリン、還元ラノリン、硬質ラノリン、ホホバロウ等のオイル、ワックス類、流動パラフィン、スクワラン、プリスタン、オゾケライト、パラフィン、セレシン、ワセリン、マイクロクリスタリンワックス等の炭化水素類、オレイン酸、イソステアリン酸、ラウリン酸、ミリスチン酸、パルミチン酸、ステアリン酸、ベヘン酸、ウンデシレン酸等の高級脂肪酸類、セチルアルコール、ステアリルアルコール、イソステアリルアルコール、ベヘニルアルコール、オクチルドデカノール、ミリスチルアルコール、セトステアリルアルコール等の高級アルコール等、イソオクタン酸セチル、ミリスチン酸イソプロピル、イソステアリン酸ヘキシルデシル、アジピン酸ジイソプロピル、セバチン酸ジ−２−エチルヘキシル、乳酸セチル、リンゴ酸ジイソステアリル、ジ−２−エチルヘキサン酸エチレングリコール、ジカプリン酸ネオペンチルグリコール、ジ−２−ヘプチルウンデカン酸グリセリン、トリ−２−エチルヘキサン酸グリセリン、トリ−２−エチルヘキサン酸トリメチロールプロパン、トリイソステアリン酸トリメチロールプロパン、テトラ−２−エチルヘキサン酸ペンタンエリトリット等の合成エステル油類、ジメチルポリシロキサン、メチルフェニルポリシロキサン、ジフェニルポリシロキサン等の鎖状ポリシロキサン、オクタメチルシクロテトラシロキサン、デカメチルシクロペンタシロキサン、ドデカメチルシクロヘキサンシロキサン等の環状ポリシロキサン、アミノ変性ポリシロキサン、ポリエーテル変性ポリシロキサン、アルキル変性ポリシロキサン、フッ素変性ポリシロキサン等の変性ポリシロキサン等のシリコーン油等の油剤類、脂肪酸セッケン（ラウリン酸ナトリウム、パルミチン酸ナトリウム等）、ラウリル硫酸カリウム、アルキル硫酸トリエタノールアミンエーテル等のアニオン界面活性剤類、塩化ステアリルトリメチルアンモニウム、塩化ベンザルコニウム、ラウリルアミンオキサイド等のカチオン界面活性剤類、イミダゾリン系両性界面活性剤（２−ココイル−２−イミダゾリニウムヒドロキサイド−１−カルボキシエチロキシ２ナトリウム塩等）、ベタイン系界面活性剤（アルキルベタイン、アミドベタイン、スルホベタイン等）、アシルメチルタウリン等の両性界面活性剤類、ソルビタン脂肪酸エステル類（ソルビタンモノステアレート、セスキオレイン酸ソルビタン等）、グリセリン脂肪酸類（モノステアリン酸グリセリン等）、プロピレングリコール脂肪酸エステル類（モノステアリン酸プロピレングリコール等）、硬化ヒマシ油誘導体、グリセリンアルキルエーテル、ＰＯＥソルビタン脂肪酸エステル類（ＰＯＥソルビタンモノオレエート、モノステアリン酸ポリオキエチレンソルビタン等）、ＰＯＥソルビット脂肪酸エステル類（ＰＯＥ−ソルビットモノラウレート等）、ＰＯＥグリセリン脂肪酸エステル類（ＰＯＥ−グリセリンモノイソステアレート等）、ＰＯＥ脂肪酸エステル類（ポリエチレングリコールモノオレート、ＰＯＥジステアレート等）、ＰＯＥアルキルエーテル類（ＰＯＥ２−オクチルドデシルエーテル等）、ＰＯＥアルキルフェニルエーテル類（ＰＯＥノニルフェニルエーテル等）、プルロニック型類、ＰＯＥ・ＰＯＰアルキルエーテル類（ＰＯＥ・ＰＯＰ２−デシルテトラデシルエーテル等）、テトロニック類、ＰＯＥヒマシ油・硬化ヒマシ油誘導体（ＰＯＥヒマシ油、ＰＯＥ硬化ヒマシ油等）、ショ糖脂肪酸エステル、アルキルグルコシド等の非イオン界面活性剤類、ポリエチレングリコール、グリセリン、１，３−ブチレングリコール、エリスリトール、ソルビトール、キシリトール、マルチトール、プロピレングリコール、ジプロピレングリコール、ジグリセリン、イソプレングリコール、１，２−ペンタンジオール、２，４−−ヘキシレングリコール、１，２−ヘキサンジオール、１，２−オクタンジオール等の多価アルコール類、ピロリドンカルボン酸ナトリウム、乳酸、乳酸ナトリウム等の保湿成分類、グアガム、クインスシード、カラギーナン、ガラクタン、アラビアガム、ペクチン、マンナン、デンプン、キサンタンガム、カードラン、メチルセルロース、ヒドロキシエチルセルロース、カルボキシメチルセルロース、メチルヒドロキシプロピルセルロース、コンドロイチン硫酸、デルマタン硫酸、グリコーゲン、ヘパラン硫酸、ヒアルロン酸、ヒアルロン酸ナトリウム、トラガントガム、ケラタン硫酸、コンドロイチン、ムコイチン硫酸、ヒドロキシエチルグアガム、カルボキシメチルグアガム、デキストラン、ケラト硫酸，ローカストビーンガム，サクシノグルカン，カロニン酸，キチン，キトサン、カルボキシメチルキチン、寒天、ポリビニルアルコール、ポリビニルピロリドン、カルボキシビニルポリマー、ポリアクリル酸ナトリウム、ポリエチレングリコール、ベントナイト等の増粘剤、表面を処理されていても良い、マイカ、タルク、カオリン、合成雲母、炭酸カルシウム、炭酸マグネシウム、無水ケイ酸（シリカ）、酸化アルミニウム、硫酸バリウム等の粉体類、表面を処理されていても良い、ベンガラ、黄酸化鉄、黒酸化鉄、酸化コバルト、群青、紺青、酸化チタン、酸化亜鉛の無機顔料類、表面を処理されていても良い、雲母チタン、魚燐箔、オキシ塩化ビスマス等のパール剤類、レーキ化されていても良い赤色２０２号、赤色２２８号、赤色２２６号、黄色４号、青色４０４号、黄色５号、赤色５０５号、赤色２３０号、赤色２２３号、橙色２０１号、赤色２１３号、黄色２０４号、黄色２０３号、青色１号、緑色２０１号、紫色２０１号、赤色２０４号等の有機色素類、ポリエチレン末、ポリメタクリル酸メチル、ナイロン粉末、オルガノポリシロキサンエラストマー等の有機粉体類、パラアミノ安息香酸系紫外線吸収剤、アントラニル酸系紫外線吸収剤、サリチル酸系紫外線吸収剤、桂皮酸系紫外線吸収剤、ベンゾフェノン系紫外線吸収剤、糖系紫外線吸収剤、２−（２’−ヒドロキシ−５’−ｔ−オクチルフェニル)ベンゾトリアゾール、４−メトキシ−４’−ｔ−ブチルジベンゾイルメタン等の紫外線吸収剤類、エタノール、イソプロパノール等の低級アルコール類、ビタミンＡ又はその誘導体、ビタミンＢ6塩酸塩，ビタミンＢ6トリパルミテート，ビタミンＢ6ジオクタノエート，ビタミンＢ2又はその誘導体，ビタミンＢ12，ビタミンＢ15又はその誘導体等のビタミンＢ類、α−トコフェロール，β−トコフェロール，γ−トコフェロール，ビタミンＥアセテート等のビタミンＥ類、ビタミンＤ類、ビタミンＨ、パントテン酸、パンテチン、ピロロキノリンキノン等のビタミン類などが好ましく例示できる。
【実施例】
【００１３】
以下に、実施例を挙げて、本発明について更に詳細に説明を加えるが、本発明がかかる実施例にのみ限定されないことは言うまでもない。
【００１４】
＜実施例１＞
香水づくりに興味のある人を公募で３６人集め、図２に示す、調香用のシートを渡し、「ボディー」に属する香料群から選択された１種の香料を４質量部、「キャラクター」に属する香料群から選択された１種の香料を１質量部及び「トッピング」から選択された２種の香料をそれぞれ１質量部、合計７質量部混合する、調香方法を説明し、図１に示す香料の内の１〜２０を用いて、調香してもらった。気に入る香料組成物が出来たところで、アンケートにより本発明の調香用のシートを用いた、調香方法の感想を聞いてみた。アンケートは「満足度について」満足した、普通、満足できなかったの三者択一で、「内容について」わかりやすかった、まあまあわかりやすかった、普通、やや難しかった、難しかったの５者択一で行った。結果は、満足した（３５例）、普通（１例）、満足できなかった（０例）と、わかりやすかった（２６例）、まあまあわかりやすかった（５例）、普通（４例）、やや難しかった（０例）、難しかった（０例）、無回答（１例）であり、又、満足の行く香料組成物を得るまでに要した時間の平均は１８．６分であった。これより、後記の比較例１と比較すると、本発明の調香用のシートを用いて調香することにより、短時間で満足の行く調香が為しうることが判る。
【００１５】
＜比較例１＞
パネラー１５名を集めて、前記の図１と図１の記載の香料を渡し、「ボディー」に属する香料群から選択された１種の香料を４質量部、「キャラクター」に属する香料群から選択された１種の香料を１質量部及び「トッピング」から選択された２種の香料をそれぞれ１質量部、合計７質量部混合する、調香方法を説明し、調香してもらった。実施例１と同様に、アンケートにより、調香方法の感想を聞いてみた。アンケートは「満足度について」満足した、普通、満足できなかったの三者択一で、「内容について」わかりやすかった、まあまあわかりやすかった、普通、やや難しかった、難しかったの５者択一で行った。結果は、満足した（１１例）、普通（４例）、満足できなかった（０例）と、わかりやすかった（７例）、まあまあわかりやすかった（４例）、普通（４例）、やや難しかった（０例）、難しかった（０例）であり、満足の行く香料組成物を調香するのに要した時間の平均は３４．１分であった。
【００１６】
＜実施例２＞
香水づくりに興味のある男の人を公募で１７人集め、「ボディー」に属する香料群から選択された１種の香料を４質量部、「キャラクター」に属する香料群から選択された１種の香料を１質量部及び「男性用の性格付けをするトッピング」から選択された２種の香料をそれぞれ１質量部、合計７質量部混合する、調香方法を説明し、図１に示す香料の内の１〜１２及び２１〜２８を用いて、図３に示す、本発明の調香用のシートを渡し、調香してもらった。気に入る香料組成物が出来たところで、アンケートにより本発明の調香方法の感想を聞いてみた。アンケートは「満足度について」満足した、普通、満足できなかったの三者択一で、「内容について」わかりやすかった、まあまあわかりやすかった、普通、やや難しかった、難しかったの５者択一で行った。結果は、満足した（１５例）、普通（１例）、満足できなかった（１例）と、わかりやすかった（１４例）、まあまあわかりやすかった（２例）、普通（１例）、やや難しかった（０例）、難しかった（０例）であり、又、満足の行く香料組成物を得るまでに要した時間の平均は１２．９分であった。これより、後記の比較例２と比較すると、本発明の調香用のシートを用いて調香することにより、短時間で満足の行く調香が為しうることが判る。
【００１７】
＜比較例２＞
パネラー１１名を集めて、前記の図１と図１に記載の香料１〜１２と２１〜２８を渡し、「ボディー」に属する香料群から選択された１種の香料を４質量部、「キャラクター」に属する香料群から選択された１種の香料を１質量部及び「男性用の性格付けのトッピング」から選択された２種の香料をそれぞれ１質量部、合計７質量部混合する、調香方法を説明し、調香してもらった。実施例１と同様に、アンケートにより、調香方法の感想を聞いてみた。アンケートは「満足度について」満足した、普通、満足できなかったの三者択一で、「内容について」わかりやすかった、まあまあわかりやすかった、普通、やや難しかった、難しかったの５者択一で行った。結果は、満足した（７例）、普通（４例）、満足できなかった（０例）と、わかりやすかった（５例）、まあまあわかりやすかった（４例）、普通（２例）、やや難しかった（０例）、難しかった（０例）であり、満足の行く香料組成物を調香するのに要した時間の平均は２２．６分であった。
【産業上の利用可能性】
【００１８】
本発明は、調香のわかりやすい教材として応用できる。
【図面の簡単な説明】
【００１９】
【図１】香料分類を表す図である。
【図２】本発明の調香用のシート（女性用）の１例を表す図である。
【図３】本発明の調香用のシート（男性用）の１例を表す図である。
【図１】
2005162716.tif 000002
【図２】
2005162716.tif 000003
【図３】
2005162716.tif 000004